(57)【要約】【課題】リモコンケースと制御基板の機種設定の不一致。【解決手段】検査モードに設定すると、操作されたスイッチ（例えば暖房スイッチ７）の名称をドット表示素子２に表示させ、ドット表示素子２の表示内容と、ケース１のスイッチに印刷されたスイッチ名称の一致を確認することで、ケースのスイッチ表示と、制御基板の機種設定が正しく一致していることを検査することが可能となる。【選択図】図１
2007071449.tif 000002
【特許請求の範囲】
【請求項１】
ドット表示素子と複数のスイッチを備え、機種設定手段により、複数の機種に対応できる給湯機のリモコンにおいて、検査モードに設定したときは、スイッチ操作に応じて、ドット表示素子にスイッチ名称を表示させる検査モードを備えた給湯機のリモコン。
【請求項２】
音声出力手段と複数のスイッチを備え、機種設定手段により、複数の機種に対応できる給湯機のリモコンにおいて、検査モードに設定したときは、スイッチ操作に応じて、音声出力手段からスイッチ名称を音声として出力させる検査モードを備えた給湯機のリモコン。
【発明の詳細な説明】
【技術分野】
【０００１】
本発明は、複数のスイッチを備え、機種設定手段により、複数の機種に対応できる給湯機のリモコンに関するものである。
【背景技術】
【０００２】
近年、給湯機のリモコンは、音声案内機能は標準となり、さらにインターホン機能付きやインターホン機能のないもの、暖房入り／切り機能のあるもの、ないものなど、種類が増えている（例えば非特許文献１参照）。
【０００３】
しかしながら、製造コストの削減のため、リモコンのケースは共通で、スイッチの名称だけが変わっている。さらに、リモコンの内部回路についても共用化が進み、機種設定手段を切り替えることにより、同じ制御基板で複数の機種に対応できるように設計されている。
【非特許文献１】カタログ、松下電器産業株式会社／東部都市ガス営業所発行、「ガス温水暖冷房システム」２００４年１月、１０ページ
【発明の開示】
【発明が解決しようとする課題】
【０００４】
しかしながら、前記従来の給湯機のリモコンでは、制御基板の機種設定手段で設定した機種とは別の機種のケースに、制御基板を組み込んでしまった場合、下記のような課題を有していた。
【０００５】
その課題とは、ケースのスイッチに印刷されたスイッチ名称とは異なるスイッチを押したことになる不具合である。例えば、機種設定では暖房スイッチに設定されているスイッチが、ケースの印刷では通話となっていた場合、ユーザーは通話ができると思い、通話スイッチを押したが、実際には制御基板は暖房スイッチが押されたとして認識し、リモコンから給湯機に対して、暖房スイッチが入ったことのデータ通信が行われる。
【０００６】
このように、従来のリモコンでは、ケースのスイッチの表示と、制御基板の機種設定が異なっていると、本来の機能を発揮できないという課題を有していた。
【０００７】
本発明は、前記従来の課題を解決するもので、ケースのスイッチ表示と、制御基板の機種設定が正しく一致しているかを簡単に検査できることを目的とする。
【課題を解決するための手段】
【０００８】
前記従来の課題を解決するために、本発明の給湯機のリモコンは、検査モードに設定すると、操作されたスイッチの名称をドット表示素子に表示させるものである。ドット表示素子に表示されたスイッチ名称と、ケースのスイッチに印刷されたスイッチ名称の一致を確認することで、ケースのスイッチ表示と、制御基板の機種設定が正しく一致していることを検査することが可能となる。
【０００９】
また、本発明の給湯機のリモコンは、検査モードに設定すると、操作されたスイッチの名称を音声出力手段から音声として出力させるものである。音声として出力されたスイッチ名称を聞き、ケースのスイッチに印刷されたスイッチ名称の一致を確認することで、ケースのスイッチ表示と、制御基板の機種設定が正しく一致していることが検査することが可能となる。
【発明の効果】
【００１０】
本発明の給湯機のリモコンは、リモコンのケースは共通でスイッチの名称だけが変わり、さらに、リモコンの内部回路についても共用化され、機種設定手段を切り替えることにより同じ制御基板で複数の機種に対応できるようになっていても、検査で確実に制御基板の機種設定と、スイッチ名称の合致が確認できる。
【発明を実施するための最良の形態】
【００１１】
第１の発明は、ドット表示素子と複数のスイッチを備え、機種設定手段により、複数の機種に対応できる給湯機のリモコンにおいて、検査モードに設定したときは、スイッチ操作に応じて、ドット表示素子にスイッチ名称を表示させる検査モードを備えたことにより、リモコン内部の制御基板の機種設定が間違っていたり、リモコンのスイッチ表示を間違ったものを組み立ててしまった場合、検査モードでスイッチを押すと、ドット表示素子に表示されるスイッチ名称と、実際に操作したスイッチの名称が異なるので、間違いが発見できる。
【００１２】
第２の発明は、音声出力手段と複数のスイッチを備え、機種設定手段により、複数の機種に対応できる給湯機のリモコンにおいて、検査モードに設定したときは、スイッチ操作に応じて、操作されたスイッチの名称を音声出力手段から音声として出力させる検査モードを備えたことにより、リモコン内部の制御基板の機種設定が間違っていたり、リモコンのスイッチ表示を間違ったものを組み立ててしまった場合、検査モードでスイッチを押すと、音声出力手段から発せられるスイッチ名称と、実際に操作したスイッチの名称が異なるので、間違いが発見できる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における給湯機のリモコンの外観図である。図１（Ａ）と図１（Ｂ）は、同形状のリモコンで、一部機能が異なるもの（別機種）である。
【００１５】
図１（Ａ）において、１はケース、２はドット表示素子、３は運転スイッチ、４は機能しないスイッチ、５はふろ自動スイッチ、６は音声出力手段である。図１（Ｂ）において、１はケース、２はドット表示素子、３は運転スイッチ、７は暖房スイッチ、５はふろ自動スイッチ、６は音声出力手段である。
【００１６】
図２は、本発明の第１の実施の形態における給湯機のリモコンの回路ブロック図である。
【００１７】
図２において、８はリモコン、９はマイコン、１０はスイッチの入力を検知するためのスイッチ入力回路、１１は機種設定手段、１２は通信回路、１３は給湯機のリモコン８を検査するための検査装置、１４は音声出力手段６内の音声出力回路、１５は音声出力手段６内のスピーカーである。
【００１８】
図３は、本発明の第１の実施の形態における給湯機のリモコンの検査フローチャートである。
【００１９】
以上のように構成された給湯機のリモコンについて、図１、図２、図３を用いて、その動作、作用を説明する。
【００２０】
図１の（Ａ）と（Ｂ）では、リモコン下端の中央のスイッチの機能が異なっている。（
Ａ）では、機能しないスイッチ４に対し、（Ｂ）では、暖房スイッチ７である。中央のスイッチが機能しないスイッチなのか、暖房スイッチとして機能するのかは、機種設定手段１１で設定される。機種設定手段１１で、機種「Ａ」として設定されていれば、この制御基板は中央スイッチを機能しないスイッチと認識する。また、機種設定手段１１で、機種「Ｂ」として設定されていれば、この制御基板は中央スイッチを暖房スイッチと認識する。
【００２１】
まず、リモコン８の検査を行う場合、検査装置１３とリモコン８は通信回路１２で接続される。検査装置１３から検査モードを開始するデータを送る。通信回路１２は検査モード開始データをマイコン９に送る。マイコン９は、検査モードのプログラムを実行する。
【００２２】
図３のステップ１で検査モードであるので、ステップ２に進む。ステップ２でスイッチ入力回路１０で中央スイッチの操作の有無を判断する。操作があれば、ステップ３に進み、機種設定手段１１で設定されている機種を判別する。機種が「Ａ」に設定さえていればステップ４に進み、ドット表示素子２に「なし」を表示する。さらに、ステップ５に進み、音声出力手段６から「なし」を発声する。ステップ３で、機種コードが「Ｂ」ならば、ステップ６でドット表示素子２に「暖房」を表示し、ステップ７で、音声出力手段６から「暖房」を発声する。
【００２３】
検査する人は、操作したスイッチに表示してある名称と、ドット表示素子２に表示された名称が一致するかどうかを検査する。一致しておれば、ケース１とリモコン内部の制御基板の機種設定が合致し、検査合格となる。もし、図１の（Ａ）のように中央スイッチは、機能しないスイッチのはずが、機種設定手段１１の機種設定が「Ｂ」になっていた場合、ドット表示素子２には「暖房」と表示されるので、リモコン内部の制御基板の機種設定間違いを発見することができる。
【００２４】
同様に、検査する人は、操作したスイッチに表示してある名称と、音声出力手段６からでる音声が一致するかどうかを検査する。一致しておれば、ケース１とリモコン内部の制御基板の機種設定が合致し、検査合格となる。もし、図１の（Ａ）のように中央スイッチは、機能しないスイッチのはずが、機種設定手段１１の機種設定が「Ｂ」になっていた場合、音声出力手段６から「暖房」と発声されるので、リモコン内部の制御基板の機種設定間違いを発見することができる。
【００２５】
このように、操作したスイッチに対応するスイッチ名称を、ドット表示素子２に表示させたり、音声出力手段６から音声として出力することにより、機種設定の内容を確認することができ、ケース１のスイッチ名称との合致を確認することができる。
【００２６】
なお、機種設定手段１１は、例えば、マイコン９のポートを、ハイレベルにすれば機種Ａ、ローレベルにすれば機種Ｂなど、ポートの切り替えで設定できるものがある。ポートを複数用意し、機種切り替えの切り替え数を増やすことができるのはいうまでもない。
【００２７】
なお、機種設定手段１１は、ＥＥＰＲＯＭなど、不揮発性メモリーを使ってもよい。
【００２８】
なお、ドット表示素子は、液晶表示素子や蛍光表示管など、ドット表示できるものであればよい。
【００２９】
なお、検査は人が行う場合の例で説明したが、画像認識装置でスイッチ名称とドット表示素子２の表示内容を比較してもよい。
【００３０】
なお、検査は人が行う場合の例で説明したが、画像認識装置でスイッチ名称を認識し、
音声認識装置で音声出力手段６の発声内容を比較してもよい。
【００３１】
なお、ドット表示素子２と音声出力手段６の両方を備えた例を示したが、どちらか一方を備えていれば、制御基板の機種設定とケース１のスイッチ名称との合致を確認できる。
【産業上の利用可能性】
【００３２】
以上のように、本発明にかかる給湯機のリモコンは、ケースの共用化、制御基板の共用化を図りながら、ケースと制御基板の組み間違いを検査できるので、表示素子や音声出力手段をもつ機器の、ケースと制御基板の組み間違いを検査への展開が可能である。
【図面の簡単な説明】
【００３３】
【図１】本発明の実施の形態１における給湯機のリモコンの外観図
【図２】本発明の実施の形態１における給湯機のリモコンの回路ブロック図
【図３】本発明の実施の形態１における給湯機のリモコンの検査フローチャート
【符号の説明】
【００３４】
２  ドット表示素子
３、４、５、７  スイッチ
６  音声出力手段
１１  機種設定手段
【図１】
2007071449.tif 000003
【図２】
2007071449.tif 000004
【図３】
2007071449.tif 000005